(57)【要約】  【課題】  給紙部におけるシートのセット状態にかかわらず、記録されるシートの記録ヘッドとの擦れや搬送中のジャムを防止できる記録装置を提供する。  【解決手段】  シートを案内するプラテン３４と、プラテン上でシートの両側端縁部の浮きを規制するために両側に配される押え部材７１１、７１２と、シートの幅を検知するシート幅検知手段７１４と、押え部材の位置を検知するための押え位置検知手段７１６と、を備え、シート幅検知手段で取得したシート端縁の位置情報と、押え位置検知手段で取得した押え部材の位置情報とに基づいて、押え部材を移動させる。【選択図】  図１０
2008273002.tif 000002
【特許請求の範囲】
【請求項１】
記録ヘッドによりシートに記録を行う記録装置において、
記録ヘッドと対向する位置でシートを案内する案内部材と、
前記案内部材に配されシートの幅方向端縁の浮きを規制する押え部材と、
搬送されるシートの幅を検知するシート幅検知手段と、
前記押え部材の位置を検知するための押え位置検知手段と、
を備え、
前記シート幅検知手段で検知したシートの端縁の位置と、前記押え位置検知手段で検知した押え部材の位置報に応じて、前記押え部材を移動させることを特徴とする記録装置。
【請求項２】
シート搬送方向の上流側から、前記シート幅検知手段、前記押え部材、前記記録ヘッドの順に配置することを特徴とする請求項１に記載の記録装置。
【請求項３】
前記記録ヘッドを搭載して移動可能なキャリッジを備え、
前記キャリッジの移動を利用して前記移動可能な押え部材を移動させることを特徴とする請求項１または２に記載の記録装置。
【請求項４】
前記キャリッジと前記押え部材との着脱可能な連結部を設け、該連結部を連結することで該キャリッジにより該押え部材を移動させることを特徴とする請求項３に記載の記録装置。
【請求項５】
前記案内部材にシートの搬送を案内するための複数のリブを設け、
該複数のリブを前記押え部材の移動と連動してシート幅方向に移動させることを特徴とする請求項１乃至４のいずれか１項に記載の記録装置。
【請求項６】
シートを給送するための給紙部を複数箇所に設け、各給紙部から異なる幅のシートを給送可能であることを特徴とする請求項１乃至５のいずれか１項に記載の記録装置。
【請求項７】
シートに縁無し記録を行うとき、前記押え部材を該シートの端縁から外側の待避位置へ移動させることを特徴とする請求項１乃至６のいずれか１項に記載の記録装置。
【請求項８】
両面記録のためにシートを逆方向に搬送するとき、前記押え部材を該シートの端縁より外側の待避位置へ移動させることを特徴とする請求項１乃至７のいずれか１項に記載の記録装置。
【請求項９】
前記シート幅検知手段で取得したシートの幅情報と、前記縁無し記録もしくは前記両面記録の記録モードの情報に基づいて、前記押え部材をシート押え位置へ移動させることを特徴とする請求項１乃至８のいずれか１項に記載の記録装置。
【請求項１０】
シートの種類に応じて、前記押え部材の位置を、シート押え位置と該シート押え位置から外れた待避位置との間で切り替えることを特徴とする請求項１乃至９のいずれか１項に記載の記録装置。
【発明の詳細な説明】
【技術分野】
【０００１】
本発明は、搬送されるシートに対し記録ヘッドにより記録を行う記録装置に関する。
【背景技術】
【０００２】
記録装置は、画像情報に基づいて記録ヘッドにより、搬送される記録媒体に画像を記録するように構成されている。記録媒体としては、紙やプラスチックシート等のシート材（本願ではシートと称する）が使用される。また、記録装置は、記録方式により、インクジェット式、ワイヤドット式、サーマル式、レーザービーム式等に分けることができる。
【０００３】
記録装置においては、シートがカールしていると、記録するときに該シートが記録ヘッドに接触することがある。シートが記録ヘッドに接触すると、記録ヘッドからシートにインク等が転写されて記録物を汚したり、シートが紙詰まりしてジャムが発生するなどの不都合が生じることがある。特に、シートの先後や両側の端縁部はカールしやすく、これが記録ヘッドと擦れたり、ジャムを生じるなどの原因となっている。これを解決する従来例として、特許文献１には、搬送される記録紙（シート）の両側端縁部を紙押え板により押圧する技術が開示されている。また、特許文献２には、記録紙供給部のサイドガイドの動きに連動させて紙押え板の紙幅方向の位置を調整する技術が開示されている。
【特許文献１】特開平２−２０９２７６号公報
【特許文献２】特開平２−２０９２７７号公報
【発明の開示】
【発明が解決しようとする課題】
【０００４】
しかしながら、従来例では、ユーザがサイドガイドを記録紙の側端縁に正確に当接させない場合に、紙押え部材も記録紙の側端縁から外れてしまうことがある。そのため、紙押え部材の目的が十分達成できず、シートの記録ヘッドとの擦れや紙ジャムが発生することがあった。また、装置本体の背部及び下部などの複数箇所に給紙機構を設ける記録装置においては、これらの給紙機構に幅が異なるシートをセットした場合に、該シートの記録ヘッドとの擦れや紙ジャムの発生を十分に回避できないことがあった。その理由は、給紙機構のサイドガイドの位置と搬送部における紙押え部材の位置を連動させることが困難であり、これが原因となって、記録ヘッドとの擦れや紙ジャムが発生するためである。また、単一の給紙機構を用いる場合でも、幅が異なるシートを重ねてセットした場合には、同様の不都合が生じることがあった。
【０００５】
本発明はこのような従来例の課題を解決するためになされたものである。本発明の目的は、給紙部におけるシートのセット状態にかかわらず、記録されるシートの記録ヘッドとの擦れや搬送中のジャムを防止できる記録装置を提供することである。
【課題を解決するための手段】
【０００６】
本発明は、記録ヘッドによりシートに記録を行う記録装置において、記録ヘッドと対向する位置でシートを案内する案内部材と、前記案内部材に配されシートの幅方向端縁の浮きを規制する押え部材と、搬送されるシートの幅を検知するシート幅検知手段と、前記押え部材の位置を検知するための押え位置検知手段と、を備え、前記シート幅検知手段で検知したシートの端縁の位置と、前記押え位置検知手段で検知した押え部材の位置報に応じて、前記押え部材を移動させることを特徴とする。
【発明の効果】
【０００７】
本発明によれば、給紙部におけるシートのセット状態にかかわらず、記録されるシートの記録ヘッドとの擦れや搬送中のジャムを防止できる記録装置が提供される。
【発明を実施するための最良の形態】
【０００８】
以下、図面を参照して本発明の実施形態を具体的に説明する。なお、各図面を通して同一符号は同一又は対応部分を示すものである。図１は本発明の一実施形態に係る記録装置を右前方から見た斜視図である。図２は図１の記録装置を左前方から見た斜視図である。図３は図１の記録装置の縦断面図である。なお、図１〜図３は、記録装置がインクジェット記録装置である場合を示す。記録装置は、第１給紙部２、搬送部３、記録部５、回復処理部６、及び第２給紙部（Ｕターン給紙部）８を備えている。不図示の外装部には、開閉可能な給送トレイ及び排紙トレイが設けられている。
【０００９】
第１給紙部２は、記録媒体であるシートを積載する圧板２１、シートを給送する給送ローラ２８、シートを分離する分離ローラ２４１などをベース２０に取り付けて構成されている。装置本体の背面側の外装部には、圧板２１上に積載されたシートを保持するための伸縮可能な給送トレイが取り付けられている。給送ローラ２８は、円形の一部を切欠いた円弧状のローラである。圧板２１には、シートの積載位置を規制するための可動サイドガイド２３がスライド可能に取り付けられており、その反対側には基準側のシートガイド２５が取り付けられている。圧板２１は、ベース２０に設けられた軸心を中心に揺動可能であり、圧板バネ２１２により給送ローラ２８へ付勢されている。給送ローラ２８と対向する圧板２１の部位には、シートの重送を防ぐための分離シート２１３が設けられている。この分離シートは摩擦係数の大きい材質で形成されている。圧板２１は、不図示の圧板カムによって、給送ローラ２８に対して所定のタイミングで当接及び離間される。
【００１０】
シートを１枚ずつ分離するための分離ローラ２４１は、ベース２０に取り付けられた分離ローラホルダ２４に回転可能に軸支されている。分離ローラホルダ２４をバネ付勢することにより、分離ローラ２４１は給送ローラ２８へ付勢されている。分離ローラ２４１は、トルクリミッタを介して軸支されており、一定値以上の負荷トルクが作用すると回転する。分離ローラ２４１は、給送ローラ２８に対して当接、離間することができる。圧板２１及び分離ローラ２４１等の位置はＡＳＦセンサ２９によって検知される。
【００１１】
搬送部３には、シートを搬送する搬送ローラ３６とＰＥ（紙端）センサ３２が設けられている。搬送ローラ３６は、金属軸の表面にセラミックの微小粒をコーティングしたローラであり、シャーシ１１に設けられた軸受３８により両端金属軸部分で軸支されている。搬送ローラ３６の周面に対し、複数のピンチローラ３７が圧接されている。ピンチローラ３７は、ピンチローラホルダ３０に保持され、ピンチローラバネ３１により搬送ローラ３６に圧接されることで搬送力を生み出している。
【００１２】
搬送ローラ３６の軸にはプーリ３６１が設けられている。搬送ローラ３６の駆動は、搬送モータ３５の回転をタイミングベルト３５１によりプーリ３６１に伝達して行われる。搬送ローラ３６の軸には、搬送量を検出するためのコードホイール３６２が設けられ、このコードホイールのマーキングをエンコーダセンサ３６３で読み取ることにより搬送量が検出される。シートは、搬送ローラ３６によって画像形成部を通して搬送される。画像形成部では、記録ヘッド５０による記録とシートの搬送を交互に繰り返すことにより、シートの全体に画像が記録される。
【００１３】
次に、記録部５について説明する。搬送ローラ３６の搬送下流側には記録ヘッド５０により画像を形成する記録部が配されている。記録部には、搬送されるシートを支持して案内するための案内部材であるプラテン３４が配されている。記録部５では、プラテン３４の搬送面に支持されたシートに対し記録ヘッド５０により画像が形成される。記録ヘッド５０は、往復移動可能なキャリッジ５５に搭載されている。記録ヘッド５０は、画像情報に基づいてインク滴を吐出する複数の吐出口を有するインク吐出部を有する。インク吐出部としては、例えば、吐出口内部のインクをヒータで加熱し、熱エネルギーによりインクを膜沸騰させる電気熱変換式のものが使用される。この膜沸騰による気泡の成長または収縮によって生じる圧力変化によって、記録ヘッド５０の吐出口からインク滴が吐出される。各吐出口から選択的にインク滴を吐出することによりシートに画像が記録される。
【００１４】
キャリッジ５５はガイドシャフト５２及びガイドレール５３に沿って左右方向に往復移動可能に案内支持されている。ガイドシャフト５２はシャーシ１１に取り付けられ、ガイドレール５３はシャーシ１１に一体に形成されている。キャリッジ５５は、キャリッジモータ５４により、アイドルプーリ５４２との間に張設されたタイミングベルト５４１を介して駆動される。ガイドシャフト５２と平行にコードストリップ５６１が配されている。キャリッジ５５に搭載されたエンコーダセンサ（不図示）によって、コードストリップ５６１のマーキングを読み取ることにより、キャリッジ５５の位置や速度を検出することができる。キャリッジ５５には、記録ヘッド５０へヘッド信号を伝えるためのフレキシブル基板５７が接続されている。
【００１５】
ガイドシャフト５２の両端部には偏心カム（不図示）が設けられており、例えば後述する回復処理部６の制御カムの回転によりギア列を介して偏心カムを回転させることにより、ガイドシャフト５２を上下に昇降させることができる。これにより、キャリッジ５５を昇降させ、厚みの異なるシートに対しても記録ヘッド５０の吐出口とシートの表面との距離を最適ギャップに制御することができる。なお、このキャリッジ５５の昇降は、シートが浮きや変形により記録ヘッドと接触することを防止するためにも行われる。記録部５では、搬送ローラ３６及びピンチローラ３７により案内部材であるプラテン３４の上面に沿って搬送されるシートに対し、記録ヘッド５０により記録が行われる。すなわち、所定ピッチごとに停止させたシートに対しキャリッジ上の記録ヘッド５０により主走査方向の１ライン分の記録が行い、１ライン分の記録とシートの紙送りを交互に繰り返すことにより、シート全体の記録が行われる。
【００１６】
次に、記録部５の搬送下流側における排紙部について説明する。本実施形態では、記録部５の搬送下流側に２本の排紙ローラ４０、４１が配されている。第１排紙ローラ４０はギア列等を介して搬送ローラ３６の回転によって駆動され、第２排紙ローラ４１は第１排紙ローラ４０の回転によって駆動される。各排紙ローラには拍車４２が圧接されている。排紙ローラ４０、４１はプラテン３４に取り付けられている。拍車４２は、周囲に複数の凸形状を有するＳＵＳ等の薄板を樹脂部と一体成型した構造をしている。この拍車４２は、コイルバネからなる軸により拍車ホルダ４３に回転可能に支持されている。このコイルバネの付勢力により、拍車４２は排紙ローラ４０、４１へ押圧されている。記録されたシートは、排紙ローラ４０、４１と拍車４２を通して装置本体から排出され、排紙トレイ（不図示）等に積載される。
【００１７】
インクジェット記録装置では、記録ヘッド５０の吐出口の目詰まりを防止するとともにインク吐出性能を維持回復するための回復処理部６が設けられている。回復処理部６は、吸引ポンプ６０、キャップ６１及びワイパー６２を備えている。キャップ６１は記録ヘッド５０の吐出口を覆うことでインクの乾燥及びほこり等の付着を防止する。吸引ポンプ６０は、キャップ６１に接続されており、キャップで吐出口を密閉した状態で動作することで吐出口からインクを吸引し、吐出口内のインクをリフレッシュする。ワイパー６２は記録ヘッドの吐出面を拭き取り清掃する。吸引ポンプ６０としては、ピストン・シリンダ式のポンプの他に、例えば、キャップ６１に接続されたチューブをしごくことにより、該チューブ内に発生する負圧を吐出口に作用させるいわゆるチューブポンプなどが使用される。
【００１８】
次に、第２給紙部であるＵターン給紙部８と、該給紙部８からのシートを給送したり両面記録を行うためのＵターン搬送部８Ａについて説明する。Ｕターン搬送部８Ａには、裏面印刷や両面印刷を可能にするためのＵターン搬送路が設けられている。装置本体の下部にはＵターン給紙部８が配されており、底面部の装置前方には該給紙部８の給紙カセット８１が装着されている。給紙カセット８１内に積載されたシートは、Ｕターン搬送路を通して記録部５へシートを反転給送される。
【００１９】
すなわち、給紙カセット８１内には、積載されたシートを給送ローラ８２１に押圧するための圧板８２２が設けられている。積載されたシートは、給送ローラ８２１と分離ローラ８３１及び分離シートとの協働によって、最上位の１枚が分離されてＵターン搬送路へ給送される。分離されたシートは、Ｕターン搬送路の２箇所に設けられた第１及び第２の中間ローラ８６、８７及びそれらに圧接されているピンチローラ８６１、８７１によって、記録部５へ向けて搬送される。第１給紙部２の搬送パスとＵターン搬送部８Ａの搬送パスとの合流点に切替えフラッパー８８３が配されている。Ｕターン搬送されたシートは切り替えられたフラッパー８８３を通して搬送ローラ３６とピンチローラ３７のニップへ搬送される。そして、搬送ローラ３６によりプラテン３４上を搬送される間に記録ヘッド５０により画像を記録される。
【００２０】
次に、Ｕターン搬送部８Ａを用いて両面記録を行う場合を説明する。第１給紙部２から給送されるシート、及び第２給紙部８（給送カセット８１）から給送されるシートは、まず、搬送ローラ３６によりプラテン３４上を搬送され、記録ヘッド５０により第１の面に記録される。第１の面は最初に記録される記録面であり、一方の面だけ記録する場合は、そのまま排紙ローラ４０、４１により装置本体外へ搬送されて排出される。両面記録を行う場合は、第１の面の記録を完了した後、切替えフラッパー８８３をＵターン搬送路側へ切り替えるとともに搬送ローラ３６を逆転駆動する。
【００２１】
すると、第１の面を記録されたシートは、Ｕターン搬送部８Ａへ送り込まれる。Ｕターン搬送部へ送り込まれたシートは、先ず、両面ローラ８９１とピンチローラ８９２のニッブへ給送される。この両面ローラ８９１は給送ローラ８２１の搬送上流側に配されている。シートは、両面ローラ８９１とピンチローラ８９２により、上述の第１及び第２の中間ローラ８６、８７が配されたＵターン搬送路へ搬送される。次いで、第１及び第２の中間ローラ８６、８７の部分で表裏反転（Ｕターン）された後、再び搬送ローラ３６へ搬送される。このとき、切替えフラッパー８８３は第１の面に記録するときの位置に戻されている。搬送ローラ３６の正転駆動によりシートを搬送しながら、記録ヘッド５０により第２の面に画像を記録する。第２の面の記録を完了したシートは、排紙ローラ４０、４１を通して装置本体外へ搬送され、排出される。
【００２２】
図４はシートの両側端縁の浮きを規制するための端縁押え手段の側面図である。図５は図４の端縁押え手段の平面図である。図４及び図５において、キャリッジ５５に搭載された記録ヘッド５０と対向する位置に配されたプラテン３４に、シートＰの幅方向の両側端縁部の浮きを規制するための左右一対の押え部材７１１、７１２が取り付けられている。両側の押え部材の少なくとも一方は、シート幅方向に移動可能（位置調節可能）になっている。図示の例では一方の押え部材が移動可能になっている。本実施形態では、シートを位置決めするときの基準側（図５中の左側）の押え部材７１１は固定されており、その反対側（図５中の右側の非基準側）の押え部材７１２はシート幅方向に移動可能になっている。
【００２３】
ところで、従来例では、給紙部にシートをセットする際に、幅方向位置をガイドするためのサイドガイド（本実施形態の可動サイドガイド２３に対応する）と、非基準側の押え部材と、を連動させていた。しかしながら、かかる構成では、ユーザがサイドガイドをシート端縁部に確実にセットしない場合や、セットし忘れた場合に、押え部材が適正位置に移動せず、シートのヘッド擦れやジャムを確実に回避できないことがあった。また、従来例では、複数の給紙部を備え異なる幅のシートがセットされている場合、いずれか一方のシート幅に対応した位置にしか押え部材を移動させることができない。このため、押え部材がシート幅の内側に位置していた場合、シートが押え部材に衝突しジャムが発生することになる。また、別の手段として、プリンタドライバ等からプリンタへ送信されるシートサイズ情報を用いる方法が考えられる。つまり、押え部材の位置とシートサイズ情報が一致していない場合は記録を中止してユーザに警告を出す方法である。しかし、この方法でも、ユーザがプリンタドライバ等で正確なシートサイズ情報を選択しない場合は、前述と同様の不都合が生じる可能性がある。
【００２４】
記録装置は様々なサイズのシートに対応しているため、可動側の押え部材７１２はシート幅に対応した位置に移動させる必要がある。図４及び図５において、給紙部（第１給紙部２又は第２給紙部８）から給送されたシートは搬送ローラ３６及びピンチローラ３７により挟持され、記録部５を通して搬送される。記録ヘッド５０を搭載してシート幅方向に往復移動するキャリッジ５５にはシート幅検知センサ７１４が搭載されている。シート幅検知センサ７１４は、キャリッジ５５の移動を利用してシートＰの両端縁を検知することによりシート幅を検知する。押え部材の移動の制御動作は、搬送されるシートの先端がシート幅検知センサ７１４の位置に到達したところで、該シートを停止させて実行される。また、キャリッジ５５には、押え部材７１１、７１２位置を検知するための押え部材検知センサ７１６が搭載されている。押え部材検知センサ７１６は、各押え部材７１１、７１２に設けられた検知バー７１１ｃ、７１２ｃを検知することで該押え部材の位置を検知する。本実施形態では、図４に示すように、シート搬送方向の上流側から、シート幅検知手段を構成するシート幅検知センサ７１４、押え部材７１１、７１２、記録ヘッド５０の順に配置されている。
【００２５】
図６及び図７はは図４中の線６−６に沿った断面図であり、図６はシートＰの両側端縁部に浮きが無い場合を示し、図７はシートＰの両側端縁部に浮きが有る場合を示す。本実施形態では、左右一対の押え部材７１１、７１２はプラテン３４に取り付けられている。基準側の押え部材７１１は固定され、反対側（非基準側）の押え部材７１２はシート幅方向に移動可能に取り付けられている。なお、押え部材７１１、７１２は、図６に示すようにシートＰがカールしていない状態では、該シートと接触しないような位置及び形状で構成されている。このため、通常ではシート搬送の負荷になることはない。
【００２６】
プラテン３４上には、搬送方向に延びる複数のリブ７１９が配されている。リブ７１９でシートの下面を案内することにより、記録ヘッド５０とシートの間に適正なギャップを保つことができる。本実施形態の一具体例では、プラテン３４のリブ７１９と記録ヘッド５０との間のギャップＳを１．２ｍｍに、シートＰの厚みｔを０．１ｍｍ〜０．３ｍｍに、各押え部材７１１、７１２の押え面７１１ａ、７１２ａとプラテン３４の上面（リブ７１９）との距離Ｕを０．６ｍｍに、それぞれ設定した。このため、０．３ｍｍ〜０．５ｍｍ程度のカールが発生しなければシートが押え部材７１１、７１２と接触することがなく、その以上のカールが発生したシートに対して良好な押え機能を果たした。シートＰの端縁と押え部材７１１、７１２の垂直壁部７１１ｂ、７１２ｂとの間には、押え機能を阻害しない範囲で、所定の隙間が設定されている。なお、押え部材７１１、７１２としては、例えば板厚０．２ｍｍ程度のＳＵＳを成形したものが使用される。
【００２７】
図８及び図９は押え部材７１２の移動状態を示す平面図であり、図８は押え部材７１２が大サイズのシートに記録するときの位置にある状態を示し、図９は押え部材７１２が小サイズのシートに記録するときの位置にある状態を示す。図８及び図９において、非基準側の押え部材７１２はプラテン３４上に設けられたガイドレール７２２に沿ってシート幅方向に移動可能であり、必要に応じて不図示の駆動源により移動させられる。
【００２８】
押え部材７１２の移動制御は、専用の駆動源によりラック・ピニオン機構等を介して行っても良いが、本実施形態では、キャリッジモータ５４を利用して行うことでコストダウンが図られている。図１０は移動可能な押え部材をシートの端縁部を押さえるのに適した位置（通常、最適位置）へ移動させるための移動制御手段を示す側面図である。図１０において、押え部材７１２には、その一部を延長したアーム部７２４が設けられている。アーム部７２４の先端部には嵌合用の穴７２４ａが形成されている。キャリッジ５５には、穴７２４ａと嵌合可能なボス部５５１が設けられている。嵌合用の穴７２４ａとボス部５５１は、押え部材とキャリッジとの連結部を構成する。記録時には、図示のように、ボス部５５１が穴７２４ａから離脱し、押え部材７１２とキャリッジ５５の連結は解除されている。
【００２９】
押え部材７１２を移動させるときは、キャリッジ５５上の押え部材検知センサ７１６で押え部材７１２を検知した位置でキャリッジ５５を上昇させ、ボス部５５１を嵌合穴７２４ａと嵌合させる。これにより、キャリッジ５５と押え部材７１２が連結され、両者は一体的に移動するようになる。なお、キャリッジ５５の昇降は、不図示のモータでガイドシャフト５２の両端部に設けた偏心カムの回転位置を制御する方法で行う。一方、シートの端縁位置は、キャリッジ５５の移動を利用してシート幅検知センサ７１４により検知されている。そこで、シート幅検知センサ７１４で取得したシートの端縁の位置情報と、押え部材検知センサ７１６で取得した押え部材の位置情報に基づいて、押え部材７１２をシートの浮きを押えるのに適した位置へ自動的に移動させるように制御する。押え部材７１２を移動させたところで、キャリッジ５５を下降させて押え部材７１２との連結を解除し、記録可能な状態に戻す。以上の制御動作において、キャリッジ５５のシート幅方向の位置は、該キャリッジに搭載したエンコーダセンサ５６でコードストリップ５６１のマーキングを読み取ることにより検知する。
【００３０】
図１１は本実施形態に係る記録装置の動作の一例を示すフローチャートである。記録命令があると、ステップＳ１０１で給紙部からのシートの供給が開始される。次いで、ステップＳ１０２において、シートＰを記録部５へと搬送し、該シートの先端部がシート幅検知センサ７１４の対向位置に到達したところで搬送を停止する。ステップＳ１０３において、シートを停止した状態で、キャリッジ５５をシート幅方向に移動させてシート幅センサ７１４によってシートの端縁を検知することで、シートの端縁位置の情報を取得する。同時に、キャリッジ５５に搭載した押え部材検知センサ７１６により、押え部材の位置を検知し、現在の押え位置の情報を取得する。
【００３１】
そして、ステップＳ１０４で、検知されたシートの端縁の位置と押え部材の位置を比較し、その比較結果に基づいて、移動可能な押え部材をシート端縁部を押えるのに適した位置へ移動させる（ステップＳ１０５）。本実施形態では、シート端縁部を押える最適位置は、押え部材７１１、７１２の垂直壁部７１１ｂ、７１２ｂとシートの端縁部との隙間ｘが約２ｍｍに、シートの端縁部と押え部材の押え面７１１ａ、７１２ａとのシート幅方向のオーバーラップ量ｙが約２ｍｍ程度になる位置に設定される。なお、垂直壁部７１１ｂ、７１２ｂとシート端縁部が接触せず、かつ押え部材７１１、７１２がシートとオーバープする位置が記録領域内に重なっていなければ、上記の数値に限定する必要はない。そして、ステップＳ１０６において、押え部材７１２を上記の適正位置にセットした状態で、シートを記録ヘッド５０と対向する位置へ搬送を開始し、記録を行う。記録したシートを排紙ローラ４０、４１で搬送し、装置本体外へ排出する（ステップＳ１０７）ことで記録動作を終了する。
【００３２】
図１２は両側の押え部材をシートの端縁部から待避させた状態を示す平面図である。Ｕターン搬送部８Ａを用いてシートの表裏に記録する両面記録を行う場合は、第１面（表面）の記録を行った後、シートの後端が押え部材７１１、７１２を抜けたところで、搬送ローラ３６及び排紙ローラ４０を逆回転させる。この逆回転により、このシートをプラテン３４上を逆方向に搬送し、Ｕターン搬送部８の搬送パスへ引き込むことになる。このとき、第１面を記録した後のシートにカールが発生していると、該シートを案内部材３４上を逆方向に搬送するとき、該シートの後端が押え部材７１１、７１２の押え面７１１ａ、７１２ａの下に入らずにジャムになる可能性がある。
【００３３】
これに対処するため、両面記録のときに、第１面記録後のシートを逆転させてＵターン搬送路へ向けて搬送する際に、両側の押え部材７１１、７１２をシート端縁部から外側の待避位置へ移動させる制御を行う。このときの押え部材の待避は、基準側の押え部材７１１を非基準側の押え部材７１２と同様に移動可能とし、両側の押え部材７１１、７１２をシートＰの両側端縁部から一時的に待避させることにより行う。この待避動作も前述と同様にキャリッジ５５の移動を利用して行われる。これにより、両面記録のためにシートを逆方向に搬送する場合も、シートのヘッド擦れやジャムを確実に防止することができる。
【００３４】
さらに、シートの端縁に余白を残さないような縁無し記録を行うときも、必要に応じて、図１２に示すように押え部材を外側へ待避させる。なお、普通紙のような薄手のシートでは大きなカールが発生しても、縁無し記録を行うような厚手の特殊紙の場合は大きなカールは発生しないことがある。このような場合は、普通紙などに通常記録を行うときは押え部材７１１、７１２を使用し、特殊紙に縁無し記録を行うときは押え部材を待避させるように制御しても良い。つまり、シートの種類に応じて、押え部材の位置を、シート押え位置に配置する使用状態と該シート押え位置から待避した位置に配置する非使用状態との間で切り替えるように制御しても良い。両面記録のためにシートを逆方向に搬送する場合や縁無し記録を行う場合などにおいて、押え部材７１１、７１２を待避させる判断は、プリンタドライバ等から送信させる記録モード情報に基づいて行われる。つまり、本実施形態では、シート幅検知手段７１４で取得したシートの幅情報と縁無し記録もしくは両面記録の記録モードの情報とに基づいて、押え部材をシート押え位置へ移動させるように制御しても良い。
【００３５】
また、プラテン３４上にシートの搬送を案内するための複数のリブ７１９が設けられており、本実施形態ではこれらのリブは押え部材の移動と連動してシート幅方向に移動可能に構成されている。図１３は押え部材７１２が案内部材３４上の外側寄りに位置し、複数のリブ７１９が広い範囲に配置される状態を示す平面図である。図１４は押え部材７１２が案内部材３４上の内側寄りに位置し、複数のリブ７１９が狭い範囲に配置される状態を示す平面図である。図１３及び図１４において、押え部材７１２の移動はリンク７２６を介して複数のリブ７１９のそれぞれに連動している。シート幅が大きいときは図１３の状態となり、シート幅が小さいときは図１４の状態となる。
【００３６】
なお、図１３及び図１４では、各リブ７１９がガイドレール７２２で分断されているように示されているが、実際には、各リブ７１９は該ガイドレールの下側部分で繋がっている。つまり、各リブ７１９は、ガイドレール７２２の搬送上流側部分７１９ａと搬送下流側部分７１９ｂを有する一体化部材である。また、各リブ７１９は、いずれもシート幅方向に延びるレール部材７２８に沿って平行を保ってスライド可能である。従って、キャリッジ５５の移動を利用して押え部材７１２を移動させると、これに追従して各リブ７１７も同時に移動する。かかる構成により、プラテン３４上にはシート幅に対して同じ本数のリブを均等に配置することができる。
【００３７】
このため、搬送されるシートＰがリブ７１９から受ける抵抗を一定にすることができる。また、従来例ではシートサイズにより左右不均等になっていたリブの配置を、本実施形態ではシートサイズによらず左右均等な配置となる。これにより、シートを搬送するときにプラテン３４から受ける抵抗が均一になり、左右の送り差や、シートサイズによる送り量の差を無くすことができ、精度の高いシート搬送を実現することができる。これにより、高品位の画像を記録することが可能となる。本実施形態では、シートＰの片側の端縁を幅方向の基準とする構成を例に挙げて説明したが、シートの幅方向中心位置を基準とする、いわゆるセンター基準の記録装置においても、同様の構成を適用することができ、同様の作用効果を奏することができる。この場合は、両側の押え部材７１１、７１２をシート幅に適した押え位置へ移動させることになる。
【００３８】
以上説明した構成によれば、給紙部のサイドガイドが適正にセットされなかった場合や、プリンタドライバ等でシートサイズが正しく設定されなかった場合でも、搬送されるシートのヘッド擦れや紙ジャムを確実に回避することが可能となる。また、複数の給紙部に異なるサイズのシートをセットする場合でも、シートの端縁部を押え部材により正確にかつ確実に押さえることができる。これにより、良好で信頼性の高い記録動作を実現することができる。
【００３９】
なお、本発明は、記録ヘッド種類や数に関係なく適用できるものである。また、本発明は、記録ヘッドとインクタンクを一体化したカートリッジタイプのもの、記録ヘッドとインクタンクを別体としたものなど、記録ヘッドやインクタンクの構成に関わらず同様に適用することができる。また、以上の実施形態では、シートの幅方向に移動する記録ヘッドを用いるシリアルタイプの記録装置を例に挙げて説明したが、副走査のみで記録するラインタイプの記録装置に対しても同様に適用可能である。また、インクジェット式、ワイヤドット式、サーマル式、レーザービーム式等、どのような記録方式の記録装置に対しも同様に適用可能である。さらに、記録媒体としてのシートの材質についても、紙プラスチックなど、記録できるものであれば、材質にかかわらず同様に適用可能である。
【図面の簡単な説明】
【００４０】
【図１】本発明の一実施形態に係る記録装置を右前方から見た斜視図である。
【図２】図１の記録装置を左前方から見た斜視図である。
【図３】図１の記録装置の縦断面図である。
【図４】シート端縁押え手段の側面図である。
【図５】図４のシート端縁押え手段の平面図である。
【図６】図４中の線６−６に沿ってシートの両側端縁部に浮きが無い場合を示す断面図である。
【図７】図４中の線６−６に沿ってシートの両側端縁部に浮きが有る場合を示す断面図である。
【図８】大サイズのシートに記録するときの押え部材の位置を示す平面図である。
【図９】小サイズのシートに記録するときの押え部材の位置を示す平面図である。
【図１０】シート幅検知手段及び押え位置検知手段の側面図である。
【図１１】記録装置の動作を示すフローチャートである。
【図１２】両側の押え部材をシート端縁部から待避させたときの平面図である。
【図１３】プラテンのリブが広い範囲に配置された状態を示す平面図である。
【図１４】プラテンのリブが狭い範囲に配置された状態を示す平面図である。
【符号の説明】
【００４１】
２        第１給紙部
５        記録部
８        第２給紙部（Ｕターン給紙部）                                          ３４      案内部材（プラテン）
３６      搬送ローラ
３７      ピンチローラ
５０      記録ヘッド
５５      キャリッジ
５６      エンコーダセンサ
５５１    ボス部（連結部）
５６１    コードストリップ
７１１    押え部材（基準側）
７１２    押え部材（非基準側）
７１４    シート幅検知センサ（シート幅検知手段）
７１６    押え部材検知センサ（押え位置検知手段）
７１９    リブ
７２４    アーム部
Ｓ        シート（記録媒体）
【図１】
2008273002.tif 000003
【図２】
2008273002.tif 000004
【図３】
2008273002.tif 000005
【図４】
2008273002.tif 000006
【図５】
2008273002.tif 000007
【図６】
2008273002.tif 000008
【図７】
2008273002.tif 000009
【図８】
2008273002.tif 000010
【図９】
2008273002.tif 000011
【図１０】
2008273002.tif 000012
【図１１】
2008273002.tif 000013
【図１２】
2008273002.tif 000014
【図１３】
2008273002.tif 000015
【図１４】
2008273002.tif 000016